(57)【要約】【課題】空気をマスク内に注入することにより生成される空気圧を用いて、マスクを顔面に密着させ、マッサージを行う美顔マッサージマスクを提案することを目的とする。【解決手段】  本発明は、マスク内に空気を注入することにより生成される空気圧を用いて顔面にマスクを密着させてマッサージする美顔マッサージマスクであり、前記マスクは、空気圧を用いて着用者の顔面をマッサージするマッサージセクションを有するため、人体に悪影響を及ぼさず且つ皮膚トラブルを起こさずに空気圧を用いて着用者の顔面をマッサージすることができ、さらに、持ち運びが容易で場所や時間に関係なく使用することができるものである。【選択図】図１
2009247906.tif 000002
【特許請求の範囲】
【請求項１】
内側及び外側マスク体を有し、前記外側マスク体はその外側下部に連結部を設け、前記内側マスク体は前記外側マスク体と連結し且つ着用者の顔面に密着するマッサージセクションと、
前記マッサージセクションに空気を注入及び排出し、前記マッサージセクションに空気圧を生成する空気供給ユニットと、前記空気供給ユニットを制御する制御ユニットとを有する制御ボックスであって、前記マッサージセクション内で空気圧を生成し、生成される空気圧の量及び生成時間を制御する制御ボックスと、
前記外側マスク体の連結部に連結され、前記マッサージセクションと前記制御ボックスを接続する接続セクションとを含み、前記マッサージセクションに注入される空気の空気圧を用いて着用者の顔面をマッサージする
ことを特徴とする美顔マッサージマスク。
【請求項２】
前記内側マスク体の内側に、着用者の顔面のツボを刺激可能な指圧突起部を設ける
ことを特徴とする請求項１に記載の美顔マッサージマスク。
【請求項３】
前記内側マスク体の内側に、着用者の顔面のツボを刺激可能な指圧突起部を有する内側シートをさらに含む
ことを特徴とする請求項１に記載の美顔マッサージマスク。
【請求項４】
前記外側マスク体はシリコンで構成され、前記内側マスク体はシリコンの基材に銀ナノ成分、及びトルマリン成分を含む材料で構成される
ことを特徴とする請求項２に記載の美顔マッサージマスク。
【請求項５】
前記マッサージセクションの両側に長さ調整可能なヘアーバンドを連結する留め具を有する
ことを特徴とする請求項１に記載の美顔マッサージマスク。
【請求項６】
前記ヘアーバンドは、ベルクロテープにより連結される第１及び第２バンド部から成る
ことを特徴とする請求項５に記載の美顔マッサージマスク。
【請求項７】
前記空気供給ユニットが、前記マッサージセクションに空気を注入する空気注入ポンプと、前記空気注入ポンプを作動させる第１駆動モータと、前記マッサージセクションから空気を排出する空気排出ポンプと、前記空気排出ポンプを作動させる第２駆動モータとを有する
ことを特徴とする請求項１に記載の美顔マッサージマスク。
【請求項８】
前記制御ユニットが、プリント回路板（ＰＣＢ）と、前記ＰＣＢ上に載置される電源スイッチと、前記空気供給ユニットの操作時間を制御するために前記ＰＣＢに設けられるタイマーと、前記マッサージセクションに注入する空気量を制御するために前記ＰＣＢに設けられる空気圧制御スイッチと、前記タイマーによる設定時間中、マッサージセクションに注入する空気量を自動的に制御するために前記ＰＣＢに設けられる自動制御スイッチとを有する
ことを特徴とする請求項１に記載の美顔マッサージマスク。
【請求項９】
前記接続セクションは、空気注入ホースと空気排出ホースを有し、前記制御ボックスにより供給された空気が前記空気注入ホースを介して前記マッサージセクションに注入され、前記マッサージセクションに注入された空気が前記空気排出ホースを介して排出され、前記マッサージセクションと前記接続セクションとの間の前記連結部に設けられる固定ユニットを追加として有する
ことを特徴とする請求項１に記載の美顔マッサージマスク。
【発明の詳細な説明】
【技術分野】
【０００１】
本発明は概して美顔マッサージマスクに関するものであって、より詳細には、空気をマスク内に注入することにより生成される空気圧を用いて顔面にマスクを密着させてマッサージする美顔マッサージマスクである。
【背景技術】
【０００２】
近年の生活水準向上により多くの人が健康に気を遣うようになり、特に顔面部の容貌には、老若男女に拘わらず大変関心が持たれるようになった。
【０００３】
顔面部の皮膚弾力性を高めて皮膚の老化を防ぐために、マッサージクリームといった様々な機能性化粧品が一般的に使われるようになり、マッサージサービスが大変盛んになってきた。  
【０００４】
多くのマッサージサービスでは、皮膚マネージメント用のしわ取り栄養クリームや機能性オイルなどを顔面部に適量塗布し、その後、マッサージ効果をもたらすよう一定時間顔面部を使い捨てマスクで覆う。
【０００５】
しかしながら、上記のようなマッサージ方法には、マッサージ材料の調合及び塗布が大変複雑であるため限られた場所でしか行えず不便であり、また、人により皮膚特徴が異なるので、マッサージ材料の誤調合が顔面の皮膚に副作用を引き起こすことがある、といった問題点がある。
【０００６】
それゆえ、上記の問題を解決するために様々な美顔マスクが近年開発されている。外見を美しくするための美顔マスク器具は、韓国特許第１０―０８０６２９１号に開示されている。前記美顔マスク器具は、空気道を内蔵するマスクシートと、前記空気道につなぐ接続孔を一端に有するケースと、前記ケースに設けられ、前記接続孔に空気を供給する給気装置と、加熱する（空気の温度を上昇させる）ために前記接続孔とケース内の前記給気装置との間に設けられるヒーターとを含み、断続的に顔面に加熱された空気をあてることで、発汗及び老廃物の排出を促進して顔面を美しくする。しかしながら上記構造は、顔面の皮膚から発汗させるという特徴を有するだけでマッサージ機能はなく、敏感肌又は熱過敏性皮膚の人は使うことができない。  
【０００７】
さらに、美顔マッサージマスクは韓国実用新案第２０−０４２２７９３号に開示されている。開示された前記美顔マッサージマスクは、水が流れるように設けられたスペースを有する内面及び外面を有するマスク体と、顔面に前記マスク体を固定する固定ベルトとを有し、前記内面には複数の注入孔と呼吸用空気管が設けられ、前記注入孔を介して注入される水の圧力により顔面をマッサージするものである。しかしながら、水を使用するため、上記のような構造を使用できる場所が限定される上、使用者は空気管を介して不自由にしか呼吸できず、またマッサージに使用される水が排出されずにマスク体に滞留するといった問題がある。
【先行技術文献】
【特許文献】
【０００８】
【特許文献１】韓国特許第１０―０８０６２９１号公報
【特許文献２】韓国実用新案第２０−０４２２７９３号公報
【発明の概要】
【発明が解決しようとする課題】
【０００９】
本発明は従来技術に生じる前述の問題を鑑みてなされたもので、空気をマスク内に注入することにより生成される空気圧を用いて、マスクを顔面に密着させ、マッサージを行う美顔マッサージマスクを提案することを目的とする。
【００１０】
さらに、本発明は、人体に悪影響を及ぼさず、且つ皮膚トラブルを起こさずに空気圧を用いて顔面をマッサージすることができ、また、持ち運びが容易で場所や時間に関係なく使用することができる美顔マッサージマスクを提案することを目的とする。
【００１１】
さらに、本発明は、顔面のツボを刺激するために指圧突起部をその内面に設けた美顔マッサージマスクを提案することを目的とする。
【課題を解決するための手段】
【００１２】
上記目的を達成するために、本発明の１つの実施形態によれば、内側及び外側マスク体を有するマッサージセクションを有し、前記外側マスク体は連結部をその外側下部に設け、前記内側マスク体は外側マスク体に連結され、且つ着用者の顔面に密着する美顔マッサージマスクであって、マッサージセクションへ空気を注入及び排出する空気供給ユニットを有する制御ボックスと、空気供給ユニットを制御する制御ユニットとを含むことで、マッサージセクション内に空気圧を生成し、生成される空気圧の量及び生成時間を制御する。また、外側マスク体の連結部に連結され、マッサージセクションと制御ボックスを接続する接続セクションを有することで、マッサージセクションに注入される空気の空気圧を用いて着用者の顔面をマッサージする。
【００１３】
本発明の１つの実施形態では、内側マスク体は、内側に着用者の顔面のツボを刺激可能な指圧突起部を設ける。
【００１４】
本発明の実施形態では、内側マスク体の内面に、着用者の顔面のツボを刺激可能な指圧突起部をその内側表面に設ける内側シートを更に設ける。
【００１５】
本発明の実施形態では、外側マスク体はシリコンで構成され、内側マスク体はシリコンを基材として銀ナノ成分、及びトルマリン成分を含む材料で構成される。
【００１６】
本発明の実施形態では、マッサージセクションは長さが調整可能なヘアーバンドを連結する留め具をその両側端に設ける。
【００１７】
本発明の実施形態では、ヘアーバンドはベルクロテープにより互いに連結される第１及び第２バンド部から構成される。
【００１８】
本発明の実施形態では、空気供給ユニットは、マッサージセクションに空気を注入する空気注入ポンプと、空気注入ポンプを作動させる第１駆動モータと、マッサージセクションから空気を排出する空気排出ポンプと、空気排出ポンプを作動させる第２駆動モータとを有する。
【００１９】
本発明の実施形態では、制御ユニットは、プリント回路板（ＰＣＢ）と、ＰＣＢ上に載置される電源スイッチと、空気供給ユニットの作動時間を制御するためにＰＣＢに設けられるタイマーと、マッサージセクションに注入する空気量を制御するためにＰＣＢに設けられる空気圧制御スイッチと、タイマーによる設定時間中、マッサージセクションに注入する空気量を自動的に制御するためにＰＣＢに設けられる自動制御スイッチとを有する。
【００２０】
本発明の実施形態では、接続セクションは、空気注入ホースを介して制御ボックスにより供給された空気がマッサージセクションに注入される空気注入ホースと、空気排出ホースを介してマッサージセクションに注入された空気が排出される空気排出ホースと、マッサージセクションと接続セクションとの間に位置する連結部に設けられる固定ユニットを追加として有する。
【発明の効果】
【００２１】
上記の構成によれば、本発明の美顔マッサージマスクは、人体に悪影響を及ぼさず且つ皮膚トラブルを起こさずに、空気圧を用いて着用者の顔面をマッサージすることができ、また、持ち運びが容易で場所や時間に関係なく使用することができる。
【００２２】
更に、マスクの内面に設けられた指圧突起部が顔面のツボを刺激することで、血行促進及び皮膚の老化を防ぐ。
【図面の簡単な説明】
【００２３】
【図１】本発明による美顔マッサージマスクを示す斜視図である。
【図２】本発明による美顔マッサージマスクを示す分解斜視図である。
【図３】図２に示す美顔マッサージマスクのマッサージセクションの内側を示す平面図である。
【図４】図２に示す美顔マッサージマスクのマッサージセクションの他の実施形態を示す平面図である。
【図５】図１に示す美顔マッサージマスクの制御ボックスの詳細を示す構造図である。
【００２４】
以下に、本発明の上記及び他の目的、特徴及び利点を、添付の図面を参照により詳細に説明する。
【発明を実施するための形態】
【００２５】
添付の図面に示される一例を参照に、以下に本発明の好適実施形態をより詳細に説明する。図面上及び明細書内では、同一部位又は同様の部位に対してできる限り同じ参照数字を使うものとする。
【００２６】
図１は、本発明による美顔マッサージマスクを示す斜視図であり、図２は、本発明による前記マスクの分解斜視図であり、図３は、図２に示す前記マスクのマッサージセクションの内側を示す平面図であり、図４は、図２に示す前記マスクのマッサージセクションの他の実施形態を示す平面図であり、図５は、図１に示すマスクの制御ボックスの詳細を示す構造図である。  
【００２７】
本発明は、マスク内に空気を注入することにより生成される空気圧を用いて顔面に密着させてマッサージする美顔マッサージマスク１００に関するものである。前記マスクは概して、マッサージセクション１０、制御ボックス２０、及び、接続セクション３０を有する。
【００２８】
マッサージセクション１０は、前記制御ボックス２０により供給される空気の空気圧を用いて着用者の顔面に密着し、顔面をマッサージする部分である。前記マッサージセクションは、着用者の顔面に接触する内側マスク体１１と、内側マスク体１１の外側に連結される外側マスク体１２とを有する。
【００２９】
内側及び外側マスク体１１及び１２は、マッサージ中に着用者が呼吸できるようにし、且つ息苦しさを感じさせないために、目、鼻、口に対応する特定箇所に開口部１６を有する。
【００３０】
内側及び外側マスク体１１及び１２は、接着剤などの接着手段（図示しない）により合わさっており、内側マスク体１１と外側マスク体１２の間に注入される空気が両マスク体の外へ漏出するのを防止するため、内側及び外側マスク体１１及び１２が重なる外周部、及び、開口部１６の外周で重なる部分には前記接着手段が塗布されている。
【００３１】
内側及び外側マスク体１１及び１２は弾性シリコンで構成されるため、美顔マッサージマスクは顔面のサイズに関係なく簡易に装着できる。また、内側マスク体１１のシリコンは、外側マスク体１２のシリコンより弾性力が強く、内側マスク体１１の厚みは外側マスク体１２の厚みより薄いと好ましい。そうすることで、内側マスク体１１と外側マスク体１２の間に空気を注入する際に、外側マスク体１２は原型を留める程度に少しだけ膨張し、一方、内側マスク体１１は外側マスク体１２より大きく膨張するので、顔面をマッサージすることができる。
【００３２】
さらに、内側マスク体１１は着用者の顔面に接触するため、着用者の顔面の皮膚を清潔に保ち、また皮膚の老化を防止するように、抗菌性の銀ナノ成分と、アニオン生成成分と、トルマリン成分とが内側マスク体のシリコンに添加されている。
【００３３】
図３に示すように、着用者の顔面に近接する内側マスク体１１の内面に指圧突起部１４を設けてもよい。指圧突起部１４は人体の顔面のツボに合わせて配置されるので、マッサージ用の空気を注入すると、内側及び外側マスク体の双方で着用者の顔をマッサージする一方、内側マスク体１１が膨張して顔面のツボを刺激し、血行が促進され、着用者をリフレッシュさせることができる。
【００３４】
使用者が美顔マッサージ後外出する場合、又は外出中にマッサージを受ける場合に、指圧突起部１４が当たる顔面の箇所にマッサージ跡が残る、といった恥ずかしい状況がマッサージ後に発生する可能性がある。この状況を避けるために、指圧突起部１４がその内面に設けられる内側シート６０を別個にし、指圧突起部を内側マスク体に形成しないこともできる。このようにすれば、使用者はスケジュールによって内側シートを使い分けることが可能である。すなわち、使用者がマッサージを受ける十分な時間がある場合にだけ、マッサージ前に、顔面のツボに合わせて指圧突起部１４が配置されている図４に示すような内側シート６０を、図３に示す実施形態と同様に使用者の顔面部に載せて、マッサージセクションを装着することができる。このとき、指圧突起部１４により顔面のツボを刺激することで、血行を促進し且つ使用者の身体をリフレッシュさせる。ここで、指圧突起部１４を有する内側シート６０は、内側マスク体１１の内面で取り外し可能に装着することができるから、指圧突起部１４が配された内側シート６０を別個に設けるときは、使用者がつぼ押し式マッサージを選択して行うことができるという利点がある。
【００３５】
一方、マスク１００を顔面部に留め置くためには、着用者の顔面にマッサージセクション１０を固定する固定ユニットが必要である。固定ユニットは、ヘアーバンド４０であってもよい。すなわち、マッサージセクション１０の両側端にヘアーバンド４０を連結する留め具１５を設け、ヘアーバンド４０により着用者の顔面にマスク１００を固定して装着させることができる。
【００３６】
また、ヘアーバンド４０は高弾性材料を用いて、且つ長さ調整可能であるため、着用者の頭部に合わせてヘアーバンド４０の長さを調整し、マッサージセクション１０を着用者の顔面に密着した状態でマスクを装着できる。具体的には、ヘアーバンド４０は、留め具１５によりマッサージセクション１０の両側端に各々が連結される第１及び第２ヘアーバンド部４０ａ及び４０ｂから構成される。第１及び第２ヘアーバンド部は、その第１端部における取り付けボタン４２、及び、互いに接触するその第２端部におけるベルクロテープ４４の雌雄片により、マッサージセクションに簡易に連結分離可能に設けられるので、ヘアーバンド４０は使用者の頭部のサイズに合わせて容易に長さ調整することができ、且つマスク１００を顔面に容易に装脱着できる。
【００３７】
制御ボックス２０は、マッサージセクション１０に空気を注入し、及び注入された空気をマッサージセクションから排出することで、顔面の筋肉をマッサージするための空気圧を生成するもので、空気圧の量及び生成時間を制御する。制御ボックス２０は、接続セクション３０を介してマッサージセクション１０に接続されている。
【００３８】
制御ボックス２０は、空気供給ユニット（空気圧生成／解消ユニット）２１及び制御ユニット２４を有する。空気供給ユニット２１は、マッサージセクション１０、すなわち、内側及び外側マスク体１１及び１２の間の箇所に空気を注入及び排出し、空気圧を生成する。空気供給ユニット２１は、マッサージセクション１０へ空気を注入する空気注入ポンプ２２ａと、空気注入ポンプ２２ａを作動させる第１駆動モータ２３ａと、マッサージセクション１０から空気を排出する空気排出ポンプ２２ｂと、空気排出ポンプ２２ｂを作動させる第２駆動モータ２３ｂとを有する。
【００３９】
さらに、制御ユニット２４は、空気供給ユニット２１により生成及び解消される空気圧の量及び生成／解消時間を制御するために設けられる。制御ユニットは、プリント回路板（ＰＣＢ）２５と、ＰＣＢ２５に設けられる電源スイッチ２６と、空気供給ユニット２１の操作時間を制御するためにＰＣＢ２５に設けられるタイマー２７とを有する。
【００４０】
すなわち、使用者が顔面にマスク１００を装着している状態で、ＰＣＢ２５に設けられる電源スイッチ２６を押すと、電力が電源（図示しない）から第１駆動モータ２３ａに供給されてモータが駆動する。その後、空気注入ポンプ２２ａから、内側マスク体１１と外側マスク体１２の間のマッサージセクションへ接続セクション３０を介して空気が供給されるので、内側マスク体１１が膨張して使用者の顔面を押圧してマッサージする。また、空気がマッサージセクション１０に一定量注入され、使用者の顔面を押圧する力が所望のレベルに達すると、第１駆動モータ２３ａは回転を停止し、第２駆動モータ２３ｂは回転を開始するので、空気排出ポンプ２２ｂがマッサージセクション１０に注入された空気を吸い上げ、マッサージセクションから空気を排出する。マッサージセクション１０における空気が一定量排出されると、第２駆動モータ２３ｂは回転を停止し、第１駆動モータ２３ａが回転を再度開始するので、マッサージセクション１０に空気が注入される。このプロセスが繰り返されることで、空気圧により顔面の筋肉をマッサージすることができる。
【００４１】
一方、ＰＣＢ２５に設けられるタイマー２７により、使用者が望む時間の長さで顔面のマッサージを受けられるよう空気供給ユニット２１の操作時間を設定できる。
【００４２】
さらにＰＣＢ２５は、マッサージの強さを調整できる空気圧制御スイッチ２９もさらに備える。空気圧制御スイッチ２９は、図１に示すように強スイッチ２９ａ、中スイッチ２９ｂ、弱スイッチ２９ｃから成り、マッサージセクション１０に注入される空気量を調整する。すなわち、空気圧制御スイッチ２９は、第１及び第２駆動モータ２３ａ及び２３ｂの操作時間を調整することにより、空気注入ポンプ２２ａ及び空気排出ポンプ２２ｂを介してマッサージセクション１０に注入及び排出される空気量を調整する。空気量の調整により、使用者の顔面を押す空気圧の程度を制御することで、使用者は好みに合わせてマッサージの強さを選択することができる。
【００４３】
加えて、ＰＣＢ２５は、タイマー２７により設定した時間中、マッサージセクション１０に注入する空気量を自動的に制御する自動制御スイッチ２８もさらに備え、この自動制御スイッチ２８は、マッサージ中顔面を押す空気圧の強さを自動的に調整する。
【００４４】
前述するタイマー２７、空気圧制御スイッチ２９、及び自動制御スイッチ２８は、従来技術及び他の分野でも幅広く使われているので、それらの詳細な説明は省略する。
【００４５】
一方、マッサージセクション１０と制御ボックス２０は、接続セクション３０で接続されており、接続セクション３０は、制御ボックス２０によりマッサージセクション１０に供給する空気を注入し、また、マッサージセクション１０に注入する空気を制御ボックス２０により排出する導管として働く。
【００４６】
すなわち、接続セクション３０は、空気注入ホース３０ａ及び空気排出ホース３０ｂを有し、内側マスク体１１と外側マスク体１２との間のマッサージセクション１０へ、制御ボックス２０により供給した空気は空気注入ホース３０ａを介して注入され、マッサージセクション１０に注入した空気は、空気排出ホース３０ｂを介して制御ボックス２０により排出される。空気注入ホース３０ａ及び空気排出ホース３０ｂは、制御ボックス２０の空気注入ポンプ２２ａ及び空気排出ポンプ２２ｂと、外側マスク体１２の外側下部に設けられる連結部１３との間に、その第１端及び第２端において各々接続される。それゆえ、空気注入ポンプ２２ａにより供給される空気は、内側マスク体１１と外側マスク体１２の間に空気注入ホース３０ａを介して注入されるので、内側マスク体１１が膨張して、使用者の顔面をマッサージする。
【００４７】
また、マッサージセクション１０と接続セクション３０が連結される連結部１３の外側に、固定ユニット５０を追加として設けることにより、接続セクション３０がマッサージセクション１０から外れて、マッサージセクション１０に注入又は排出される空気が漏出するのを防止するようにすると好ましい。具体的には、連結部１３の外面を雌ネジ部（図示しない）とし、固定ユニット５０の内面を前記雌ネジ部に係合する雄ネジ部（図示しない）としてもよい。その場合、接続セクション３０の端部に固定ユニット５０を嵌め込むと、接続セクション３０が連結部１３に連結され、固定ユニット５０をその後回転することで接続セクション３０が連結部１３に堅く連結されるので、マッサージ中にマッサージセクション１０の連結部１３から接続セクション３０が外れるのを防止することができる。
【００４８】
本発明の美顔マッサージマスク１００の上記の構造によると、人体に悪影響を及ぼさず且つ皮膚トラブルを起こさずに空気圧を用いて着用者の顔面をマッサージすることができ、また、前記マスクは持ち運びが容易で場所や時間に関係なく使用することができる。
【００４９】
本発明の好適実施形態を一例として記載したが、添付の請求項に記載される本発明の範囲や精神を逸脱しない様々な修正、追加及び置換は、本発明の範囲内のものと理解すべきである。
【符号の説明】
【００５０】
１０・・マッサージセクション、１１・・内側マスク体、１２・・外側マスク体、１３・・連結部、１４・・指圧突起部、１５・・留め具、１６・・開口部、２０・・制御ボックス、２１・・空気供給ユニット、２２ａ・・空気注入ポンプ、２２ｂ・・空気排出ポンプ、２３ａ・・第１駆動モータ、２３ｂ・・第２駆動モータ、２４・・制御ユニット、２５・・プリント回路板（ＰＣＢ）、２６・・電源スイッチ、２７・・タイマー、２８・・自動制御スイッチ、２９・・空気圧制御スイッチ、３０・・接続セクション、３０ａ・・空気注入ホース、３０ｂ・・空気排出ホース、４０・・ヘアーバンド、４０ａ・・第１ヘアーバンド部、４０ｂ・・第２ヘアーバンド部、４２・・取り付けボタン、４４・・ベルクロテープ、５０・・固定ユニット、６０・・内側シート、１００・・美顔マッサージマスク。
【図１】
2009247906.tif 000003
【図２】
2009247906.tif 000004
【図３】
2009247906.tif 000005
【図４】
2009247906.tif 000006
【図５】
2009247906.tif 000007